(57)【要約】  複数の第１画素と複数の第２画素とを有する第１基板と、複数の第３画素を有し、前記第１基板に対向する第２基板と、信号を生成する処理部と、を備え、前記複数の第３画素は、前記複数の第１画素の透過光を受光し、前記複数の第１画素は、緑色光の波長を含む波長帯域に応じた信号を出力し、赤色光の波長を含む波長帯域を透過し、前記複数の第２画素は、青色光の波長を含み、赤色光の波長と緑色光の波長とを含まない波長帯域に応じた信号を出力し、前記複数の第３画素は、赤色光の波長を含む波長帯域に応じた信号を出力する。
2016178266.tif 000002
【特許請求の範囲】
【請求項１】
複数の第１画素と複数の第２画素とを有する第１基板と、
複数の第３画素を有し、前記第１基板に対向する第２基板と、
信号を生成する処理部と、
を備え、
前記複数の第３画素は、前記複数の第１画素の透過光を受光し、
前記複数の第１画素は、緑色光の波長を含む波長帯域に応じた信号を出力し、赤色光の波長を含む波長帯域を透過し、
前記複数の第２画素は、青色光の波長を含み、赤色光の波長と緑色光の波長とを含まない波長帯域に応じた信号を出力し、
前記複数の第３画素は、赤色光の波長を含む波長帯域に応じた信号を出力し、
前記複数の第１の画素と前記複数の第２の画素とは互いに対応しており、
前記処理部は、少なくとも前記複数の第１画素の出力と前記複数の第３画素の出力から、緑色光の波長を含み、青色光の波長と赤色光の波長とを含まない波長帯域に応じた信号を生成する
撮像装置。
【請求項２】
前記複数の第２画素に対応する領域には複数の回路領域が配置され、
前記複数の回路領域は、少なくとも前記複数の第３画素の読出しを行う
請求項１に記載の撮像装置。
【請求項３】
前記複数の回路領域は、前記複数の第１画素および前記複数の第２画素の読出しを行う
請求項２に記載の撮像装置。
【請求項４】
前記複数の第１画素は、緑色光の波長および青色光の波長とを含む波長帯域に応じた信号を出力し、赤い露光の波長を含む波長帯域を透過する
請求項１に記載の撮像装置。
【請求項５】
前記複数の第１画素は、緑色光の波長を含み、青色光の波長を含まない波長帯域に応じた信号を出力し、赤色光の波長を含む波長帯域を透過する
請求項１に記載の撮像装置。
【請求項６】
狭帯域光を照射することにより、粘膜表層の毛細血管を強調表示して観察する撮像装置であって、
前記第１基板が有する前記複数の第１画素と前記複数の第２画素とが出力した信号から第１画像を作成し、
前記第２基板が有する前記複数の第３が出力した信号から第２画像を作成する
請求項１に記載の撮像装置。
【発明の詳細な説明】
【技術分野】
【０００１】
本発明は、撮像装置に関する。
【背景技術】
【０００２】
ＮＢＩ（Ｎａｒｒｏｗ  Ｂａｎｄ  Ｉｍａｇｉｎｇ、狭帯域光観察）撮像では、狭帯域光を照射して撮像する。そして、イメージセンサが備える画素のうち、Ｂ画素（青色光を検出する画素）の信号を主に用いて強調処理することで、粘膜表層の毛細血管と粘膜微細模様が強調表示される。これにより、表層の血管の情報を得ることができ、癌の観察などに有効であることが知られている。【０００３】
なお、ＮＢＩ撮像に一般的なＲＧＢベイヤー配列のイメージセンサを使用すると、Ｂ画素は４画素に１画素しかないため十分な解像度が確保できない。そこで、ＲＧＢベイヤー配列のイメージセンサが備える画素のうち、Ｇ画素の割合を４画素に１画素とし、Ｂ画素の割合を４画素に２画素としたＲＧＢベイヤー配列とは異なる画素配列のイメージセンサが知られている（例えば、特許文献１参照）。【０００４】
図１５は、従来知られている、ＲＧＢベイヤー配列のイメージセンサが備える画素のうち、Ｇ画素の割合を４画素に１画素とし、Ｂ画素の割合を４画素に２画素としたイメージセンサの画素配列を示した概略図である。図示する例では、イメージセンサ２０００の奇数行目には、Ｇ画素２００１とＢ画素２００２とが交互に配置されている。また、イメージセンサ２０００の偶数行目には、Ｂ画素２００２とＲ画素２００３とが交互に配置されている。
【先行技術文献】
【特許文献】
【０００５】
【特許文献１】日本国特開２００６−２９７０９３号公報
【発明の概要】
【発明が解決しようとする課題】
【０００６】
しかしながら、従来知られている技術では、ＲＧＢベイヤー配列のイメージセンサが備える画素のうちＧ画素の割合を４画素に１画素としているため、通常のＲＧＢ画像の解像度が劣化してしまう。【０００７】
そこで本発明の幾つかの態様は、ＲＧＢ画像の解像度の劣化を抑えつつ、ＮＢＩ画像の解像度を向上させる撮像装置を提供する。
【課題を解決するための手段】
【０００８】
本発明の第１の態様によれば、撮像装置は、複数の第１画素と複数の第２画素とを有する第１基板と、複数の第３画素を有し、前記第１基板に対向する第２基板と、信号を生成する処理部と、を備え、前記複数の第３画素は、前記複数の第１画素の透過光を受光し、前記複数の第１画素は、緑色光の波長を含む波長帯域に応じた信号を出力し、赤色光の波長を含む波長帯域を透過し、前記複数の第２画素は、青色光の波長を含み、赤色光の波長と緑色光の波長とを含まない波長帯域に応じた信号を出力し、前記複数の第３画素は、赤色光の波長を含む波長帯域に応じた信号を出力し、前記複数の第１の画素と前記複数の第２の画素とは互いに対応しており、前記処理部は、少なくとも前記複数の第１画素の出力と前記複数の第３画素の出力から、緑色光の波長を含み、青色光の波長と赤色光の波長とを含まない波長帯域に応じた信号を生成する。【０００９】
本発明の第２の態様によれば、第１の態様において、前記複数の第２画素に対応する領域には複数の回路領域が配置され、前記複数の回路領域は、少なくとも前記複数の第３画素の読出しを行うようにしてもよい。【００１０】
本発明の第３の態様によれば、第２の態様において、前記複数の回路領域は、前記複数の第１画素および前記複数の第２画素の読出しを行うようにしてもよい。【００１１】
本発明の第４の態様によれば、第１の態様において、前記複数の第１画素は、緑色光の波長および青色光の波長とを含む波長帯域に応じた信号を出力し、赤い露光の波長を含む波長帯域を透過するようにしてもよい。【００１２】
本発明の第５の態様によれば、第１の態様において、前記複数の第１画素は、緑色光の波長を含み、青色光の波長を含まない波長帯域に応じた信号を出力し、赤色光の波長を含む波長帯域を透過するようにしてもよい。【００１３】
本発明の第６の態様によれば、第１の態様において、狭帯域光を照射することにより、粘膜表層の毛細血管を強調表示して観察する撮像装置であって、前記第１基板が有する前記複数の第１画素と前記複数の第２画素とが出力した信号から第１画像を作成し、前記第２基板が有する前記複数の第３が出力した信号から第２画像を作成するようにしてもよい。
【発明の効果】
【００１４】
上記の各態様によれば、ＲＧＢ画像の解像度の劣化を抑えつつ、ＮＢＩ画像の解像度を向上させることができる。
【図面の簡単な説明】
【００１５】
【図１】本発明の第１の実施形態における撮像素子の断面を示した断面図である。
【図２】本発明の第１の実施形態における第１画素と、第２画素と、第３画素との配列を示した概略図である。
【図３】本発明の第１の実施形態において、第１画素と、第２画素と、第３画素との感度と、シリコン基板の透過率とを示したグラフである。
【図４】本発明の第１の実施形態における撮像装置の構成を示したブロック図である。
【図５】本発明の第１の実施形態における撮像素子の駆動タイミングを示したタイミングチャートである。
【図６】本発明の第１の実施形態において、第１画素と、第２画素と、第３画素とが異なるカラーフィルタを備える撮像素子の断面を示した断面図である。
【図７】本発明の第２の実施形態における撮像素子の断面を示した断面図である。
【図８】本発明の第２の実施形態における第１画素と、第２画素と、第３画素と、回路部との配列を示した概略図である。
【図９】本発明の第３の実施形態における第１画素と、第２画素と、第３画素と、回路部との配列を示した概略図である。
【図１０】本発明の第４の実施形態における撮像素子の断面を示した断面図である。
【図１１】本発明の第４の実施形態における第１画素と、第２画素と、第３画素と、接合電極との配列を示した概略図である。
【図１２】本発明の第５の実施形態における第１画素と、第２画素と、第３画素と、第４画素との配列を示した概略図である。
【図１３】本発明の第６の実施形態における第２画素と、第３画素と、第５画素との配列を示した概略図である。
【図１４】本発明の第７の実施形態における撮像装置の構成を示したブロック図である。
【図１５】従来知られている、ＲＧＢベイヤー配列のイメージセンサが備える画素のうち、Ｇ画素の割合を４画素に１画素とし、Ｂ画素の割合を４画素に２画素としたイメージセンサの画素配列を示した概略図である。
【発明を実施するための形態】
【００１６】
図面を参照し、本発明の実施形態を説明する。
【００１７】
（第１の実施形態）
図１は、本発明の第１の実施形態における撮像素子１００の断面を示した断面図である。図示する例では、撮像素子１００は、第１基板１０１と、第２基板１０２と、複数の第１画素１０３と、複数の第２画素１０４と、複数の第３画素１０５とを備えている。また、入射光が照射される側を受光面とする。
【００１８】
第１基板１０１と、第２基板１０２とは積層されている。第１基板１０１および第２基板１０２はシリコン基板である。また、第１基板１０１は入射された光のうち、一部の光を透過する。
【００１９】
第１画素１０３は、第１基板１０１内に配置されている。第１画素１０３は、光を検出する第１フォトダイオード１１３を備えている。これにより、第１画素１０３は、入射光の露光量に応じた第１信号（Ｗ信号、ホワイト信号）を出力する。以下、第１画素１０３をＷ画素とも呼ぶ。
【００２０】
第２画素１０４は、第１基板１０１内に配置されている。第２画素１０４は、青色光を検出する第２フォトダイオード１１４を備えている。これにより、第２画素１０４は、入射光のうち青色光の露光量に応じた第２信号（Ｂ信号、ブルー信号）を出力する。以下、第２画素１０４をＢ画素とも呼ぶ。
【００２１】
第３画素１０５は、第２基板１０２内に配置されている。第３画素１０５は、赤色光を検出する第３フォトダイオード１１５を備えている。これにより、第３画素１０５は、第１基板１０１を透過した入射光のうち赤色光の露光量に応じた第３信号（Ｒ信号、レッド信号）を出力する。以下、第３画素１０５をＲ画素とも呼ぶ。
【００２２】
なお、第１フォトダイオード１１３の深さは、第２フォトダイオードよりも深い。従って、第１フォトダイオード１１３と第２フォトダイオード１１４が検出する光の種類が異なる。また、第１フォトダイオード１１３の深さと、第３フォトダイオード１１５の深さは同じであるが、入射する光が異なるため、第１フォトダイオード１１３と第３フォトダイオード１１５が検出する光が異なる。図示する例では、第１フォトダイオード１１３には、入射光が直接入射する。一方、第３フォトダイオード１１５には、第１基板１０１を透過した入射光が入射する。
【００２３】
次に、第１画素１０３と、第２画素１０４と、第３画素１０５との配列について説明する。図２は、本実施形態における第１画素１０３と、第２画素１０４と、第３画素１０５との配列を示した概略図である。図２に示す例では、第１基板１０１には、４行４列の二次元状に規則的に配列された８個の第１画素１０３と、８個の第２画素１０４とが含まれている。また、第２基板１０２には、４行４列の二次元状に規則的に配列された計１６個の第３画素１０５が含まれている。
【００２４】
図２に示すとおり、第１基板１０１には、第１画素１０３と第２画素１０４とが交互に配列されている。また、第１画素１０３と第２画素１０４には、入射光が直接入射される。よって、第１基板１０１では、入射光の露光量に応じた第１信号（Ｗ信号）と、入射光のうち青色光の露光量に応じた第２信号（Ｂ信号）とを出力することができる。
【００２５】
また、第２基板１０２には、第３画素１０５が配置されている。また、第３画素１０５には、入射光のうち第１基板１０１を透過した光が入射される。また、第１基板１０１はシリコン基板であり、赤色光の波長を含む波長帯域の光を透過する。よって、第２基板１０２では、入射光のうち赤色光の露光量に応じた第３信号（Ｒ信号）を出力することができる。
【００２６】
従って、このような第１画素１０３と、第２画素１０４と、第３画素１０５との配置により、第１信号（Ｗ信号）と、第２信号（Ｂ信号）と、第３信号（Ｒ信号）とを同時に出力することができる。
【００２７】
なお、第１基板１０１に含まれる第１画素１０３および第２画素１０４と、第２基板１０２に含まれる第３画素１０５との数および配列は、図２に示す例に限らず、どのような数および配列でもよい。また、図２に示す例では、第１画素１０３および第２画素１０４の下に第３画素１０５を対応して配置しているが、これに限らない。例えば、第３画素１０５の画素サイズを、第１画素１０３および第２画素１０４の画素サイズとは異なる大きさ（例えば、第１画素１０３の整数倍）にするなどの工夫も可能である。
【００２８】
図３は、本実施形態において、第１画素１０３と、第２画素１０４と、第３画素１０５との感度と、シリコン基板の透過率とを示したグラフである。グラフの横軸は波長（ｎｍ）を示す。グラフの左縦軸は、第１画素１０３と、第２画素１０４と、第３画素１０５との感度を示す。グラフの右縦軸は、シリコン基板の透過率を示す。
【００２９】
線３０１は、第１画素１０３（Ｗ画素）の感度を示した線である。図示するように、第１画素１０３は、３８０ｎｍ〜１４００ｎｍの波長帯域に応じた感度を有する。このように、第１画素１０３は、赤色光の波長と、緑色光の波長と、青色光の波長とを含む波長帯域に応じた感度を有する。
【００３０】
線３０２は、第２画素１０４（Ｂ画素）の感度を示した線である。図示するように、第２画素１０４は、３８０ｎｍから５００ｎｍの波長帯域に応じた感度を有する。このように、第２画素１０４は、青色光の波長を含む波長帯域に応じた感度を有する。
【００３１】
線３０３は、第３画素１０５（Ｒ画素）の感度を示した線である。図示するように、第３画素１０５は、５５０ｎｍ〜８００ｎｍの波長帯域に応じた感度を有する。このように、第３画素１０５は、赤色光の波長を含む波長帯域に応じた感度を有する。
【００３２】
線３０４は、シリコン基板の透過率を示した線である。図示するように、シリコン基板は、５００ｎｍ〜１５００ｎｍの波長帯域の光を透過する。このように、シリコン基板は、赤色光の波長を含む波長帯域の光を透過する。よって、入射光のうち赤色光は、第１基板１０１を透過し、第２基板１０２に入射する。従って、第１基板１０１と第２基板１０２とが積層していても、第２基板１０２の第３画素１０５は、入射光のうち赤色光の露光量に応じた第３信号（Ｒ信号）を出力することができる。これにより、第２基板１０２には、波長の長い光を検出する画素（例えば、第３画素１０５）を使用することができる。
【００３３】
なお、シリコン基板は、青色光の波長の波長帯域の光は透過しない。従って、第２基板１０２に第２画素１０４を配置したとしても、入射光のうち青色光の露光量に応じた第２信号を出力することができない。これにより、第２基板１０２には、波長の短い光を検出する画素（例えば、第２画素１０４）を使用することができない。
【００３４】
次に、撮像装置１の構成について説明する。図４は、本実施形態における撮像装置１の構成を示したブロック図である。撮像装置１は、撮像素子１００と信号処理部１０６とを備えている。撮像素子１００は、第１基板１０１と第２基板１０２とを備えている。第１基板１０１は、第１基板画素部１０１１を備えている。
【００３５】
第１基板画素部１０１１は、第１基板画素１０１２と第１基板画素読み出し回路１０１３とを備えている。第１基板画素１０１２は、上述した複数の第１画素１０３と複数の第２画素１０４とを含む。第２基板１０２は、第２基板画素部１０２１と、駆動部１０２４と、信号読み出し部１０２５とを備えている。第２基板画素部１０２１は、第２基板画素１０２２と、第２基板画素読み出し回路１０２３とを備えている。第２基板画素１０２２は、上述した複数の第３画素１０３を含む。
【００３６】
駆動部１０２４は、制御信号を送信し、第１基板画素部１０１１と、第２基板画素部１０２１とを駆動する。信号読み出し部１０２５は、信号のノイズを除去する回路と、Ａ／Ｄ変換を行う回路と、走査回路とを含む。信号読み出し部１０２５は、第１基板画素読み出し回路１０１３を制御し、第１基板画素１０１２から、第１信号と第２信号とを読み出す。また、信号読み出し部１０２５は、第２基板画素読み出し回路１０２３を制御し、第２基板画素１０２２から第３信号を読み出す。
【００３７】
信号処理部１０６は、信号読み出し部１０２５が読み出した第１信号と、第２信号と、第３信号とを用いて画像を生成する。具体的には、信号処理部１０６は、第１信号（Ｗ信号）と、第２信号（Ｂ信号）と、第３信号（Ｒ信号）とを用いて演算し、緑色光の信号（Ｇ信号）を生成する。そして、信号処理部１０６は、第２信号（Ｂ信号）と、第３信号（Ｒ信号）と、生成した緑色光の信号（Ｇ信号）とで、ＲＧＢ画像を生成する。また、信号処理部１０６は、第２信号（Ｂ信号）を用いて、ＮＢＩ画像を生成する。
【００３８】
なお、第１基板１０１と第２基板１０２との間の信号の伝送は、どのように行ってもよい。例えば、第１基板１０１と第２基板１０２との間に貫通電極を設けて、第１基板１０１と第２基板１０２との間の信号の伝送を行ってもよい。また、例えば、第１基板１０１と第２基板１０２との外に伝送路を設けて、第１基板１０１と第２基板１０２との間の信号の伝送を行ってもよい。
【００３９】
次に、撮像素子１００の駆動タイミングについて説明する。図５は、本実施形態における撮像素子１００の駆動タイミングを示したタイミングチャートである。図示する例では、第１基板１０１が備える第１画素１０３と第２画素１０４との駆動タイミングを示したタイミングチャート５０１と、第２基板１０２が備える第３画素１０５の駆動タイミングを示したタイミングチャート５０２とを示している。なお、タイミングチャートの横軸は時間である。
【００４０】
図示するとおり、本実施形態では、第３画素１０５の電荷蓄積時間（露光時間）は、第１画素１０３と第２画素１０４との電荷蓄積時間（露光時間）よりも長い。これは、第３画素１０５には、第１基板１０１を透過した光のみが照射されるため、第３画素１０５に照射される光量が、第１画素１０３と第２画素１０４とに照射される光量よりも小さいためである。なお、本実施形態では、第１画素１０３と、第２画素１０４と、第３画素１０５との露光開始タイミングが同一のフレームの開始タイミングとなるように、各画素から信号を読み出す時間である読み出し時間を設定している。
【００４１】
上述したとおり、本実施形態によれば、第１基板１０１と第２基板１０２とを積層している。また、第２基板１０２は、第１基板１０１の受光面側から見て、第１基板１０１と重複する位置かつ第１基板１０１の受光面側とは反対側に配置されている。また、第１基板１０１は光を透過する。また、第１基板１０１を透過した光は、第２基板１０２に照射される。
【００４２】
これにより、第１基板１０１の第１画素１０３と第２画素１０４と、第２基板１０２の第３画素１０５とは同時に露光することができる。すなわち、第１画素１０３による第１信号の生成と、第２画素１０４による第２信号の生成と、第３画素１０５による第３信号の生成とを同時に行うことができる。従って、信号処理部１０６は、第１信号（Ｗ信号）と、第２信号（Ｂ信号）と、第３信号（Ｒ信号）とに基づいたＲＧＢ画像と、第２信号（Ｂ信号）に基づいて強調処理を行ったＮＢＩ画像とを同時に生成することができる。
【００４３】
また、上述したとおり、本実施形態において、第２画素１０４の割合は、第１基板１０１が備える画素のうち４画素に２画素の割合である。従って、第２信号（Ｂ信号）をより多く取得することができるため、ＮＢＩ画像の解像度を向上させることができる。また、本実施形態において、緑色光の信号（Ｇ信号）は、第１信号（Ｗ信号）と、第２信号（Ｂ信号）と、第３信号（Ｒ信号）とを用いて生成している。第１画素１０３の割合は、第１基板１０１が備える画素のうち４画素に２画素の割合である。また、第２画素１０４の割合は、第１基板１０１が備える画素のうち４画素に２画素の割合である。また、第３画素１０５の割合は、第２基板１０２が備える画素全てである。従って、緑色光の信号（Ｇ信号）の解像度を良くすることができ、ＲＧＢ画像の解像も良くすることができる。
【００４４】
なお、上述した例では、第１画素１０３と、第２画素１０４と、第３画素１０５とは、フォトダイオード１１３〜１１５の厚さや入射する光を変えることで、異なる種類の信号を生成しているが、これに限らない。例えば、第１画素と、第２画素と、第３画素とは、異なるカラーフィルタを備えることで、異なる種類の信号を生成するようにしてもよい。
【００４５】
図６は、本実施形態において、第１画素２０３と、第２画素２０４と、第３画素２０５とが異なるカラーフィルタを備える撮像素子２００の断面を示した断面図である。図示する例では、撮像素子２００は、第１基板２０１と、第２基板１０２と、複数の第１画素２０３と、複数の第２画素２０４と、複数の第３画素２０５とを備えている。また、入射光が照射される側を受光面とする。
【００４６】
第１基板２０１と、第２基板２０２とは積層されている。第１基板２０１および第２基板２０２はシリコン基板である。また、第１基板２０１は入射された光のうち、一部の光を透過する。
【００４７】
第１画素２０３は、第１基板２０１内に配置されている。第１画素２０３は、光を検出する第１フォトダイオード２１３と、全ての波長の光を透過するカラーフィルタ２２３とを備えている。これにより、第１画素２０３は、入射光の露光量に応じた第１信号（Ｗ信号、ホワイト信号）を出力する。なお、カラーフィルタ２２３は、赤外光のみを透過しないものを用いてもよい。
【００４８】
第２画素２０４は、第１基板２０１内に配置されている。第２画素２０４は、光を検出する第２フォトダイオード２１４と、青色光のみを透過するカラーフィルタ２２４とを備えている。これにより、第２画素２０４は、入射光のうち青色光の露光量に応じた第２信号（Ｂ信号、ブルー信号）を出力する。
【００４９】
第３画素２０５は、第２基板２０２内に配置されている。第３画素２０５は、光を検出する第３フォトダイオード２１５と、赤色光のみを透過するカラーフィルタ２２５とを備えている。これにより、第３画素２０５は、第１基板２０１を透過した入射光のうち赤色光の露光量に応じた第３信号（Ｒ信号、レッド信号）を出力する。
【００５０】
なお、第１画素２０３と、第２画素２０４と、第３画素２０５との配置は、図２に示した第１画素１０３と、第２画素１０４と、第３画素１０５との配置と同様である。また、撮像素子２００を備えた撮像装置の構成および動作は、図４に示した撮像装置１の構成および動作と同様である。
【００５１】
従って、撮像素子２００を備えた撮像装置は、上述した撮像装置１と同様に、ＲＧＢ画像と、第２信号（Ｂ信号）に基づいて強調処理を行ったＮＢＩ画像とを同時に生成することができる。また、撮像素子２００を備えた撮像装置は、上述した撮像装置１と同様に、ＮＢＩ画像の解像度を向上させることができる。また、撮像素子２００を備えた撮像装置は、上述した撮像装置１と同様に、ＲＧＢ画像の解像も良くすることができる。
【００５２】
（第２の実施形態）
次に、本発明の第２の実施形態について説明する。本実施形態における撮像装置と、第１の実施形態における撮像装置１とで異なる点は、撮像素子の構成である。第１の実施形態における撮像素子１００と本実施形態における撮像素子４００とで異なる点は、第２基板４０２に回路部４０６が設けられている点である。その他の構成および動作は、第１の実施形態と同様である。
【００５３】
図７は、本発明の第２の実施形態における撮像素子４００の断面を示した断面図である。図示する例では、撮像素子４００は、第１基板４０１と、第２基板４０２と、複数の第１画素４０３と、複数の第２画素４０４と、複数の第３画素４０５と、回路部４０６とを備えている。また、入射光が照射される側を受光面とする。
【００５４】
第１画素４０３は、第１基板４０１内に配置されている。第１画素４０３は、光を検出する第１フォトダイオード４１３と、全ての波長の光を透過するカラーフィルタ４２３とを備えている。これにより、第１画素４０３は、入射光の露光量に応じた第１信号（Ｗ信号、ホワイト信号）を出力する。なお、カラーフィルタ４２３は、赤外光のみを透過しないものを用いてもよい。
【００５５】
第２画素４０４は、第１基板４０１内に配置されている。第２画素４０４は、光を検出する第２フォトダイオード４１４と、青色光のみを透過するカラーフィルタ４２４とを備えている。これにより、第２画素４０４は、入射光のうち青色光の露光量に応じた第２信号（Ｂ信号、ブルー信号）を出力する。
【００５６】
第３画素４０５は、第２基板４０２内に配置されている。第３画素４０５は、光を検出する第３フォトダイオード４１５と、赤色光のみを透過するカラーフィルタ４２５とを備えている。これにより、第３画素４０５は、第１基板４０１を透過した入射光のうち赤色光の露光量に応じた第３信号（Ｒ信号、レッド信号）を出力する。
【００５７】
回路部４０６は、駆動部１０２４や信号読み出し部１０２５などの回路を備える。これにより、駆動部１０２４や信号読み出し部１０２５などの回路は、回路部４０６に配置することができる。
【００５８】
次に、第１画素４０３と、第２画素４０４と、第３画素４０５と、回路部４０６との配列について説明する。図８は、本実施形態における第１画素４０３と、第２画素４０４と、第３画素４０５と、回路部４０６との配列を示した概略図である。図８に示す例では、第１基板４０１には、４行４列の二次元状に規則的に配列された８個の第１画素４０３と、８個の第２画素４０４とが含まれている。また、第２基板４０２には、４行４列の二次元状に規則的に配列された８個の第３画素４０５と、８個の回路部４０６とが含まれている。
【００５９】
図８に示すとおり、第１基板４０１には、第１画素４０３と第２画素４０４とが交互に配列されている。また、第１画素４０３と第２画素４０４とには、入射光が直接入射される。よって、第１基板４０１では、入射光の露光量に応じた第１信号（Ｗ信号）と、入射光のうち青色光の露光量に応じた第２信号（Ｂ信号）とを出力することができる。
【００６０】
また、第２基板４０２には、第３画素４０５と回路部４０６とが交互に配置されている。また、第３画素４０５は、第１画素４０３を透過した光が入射される位置に配置されている。すなわち、第３画素４０５は、第１画素４０３の下に配置されている。また、回路部４０６は、第２画素４０４の下に配置されている。
【００６１】
この配置により、第３画素４０５には、入射光のうち第１基板１０１の第１画素４０３を透過した光が入射される。また、第１画素４０３が備えるカラーフィルタ４２３は、全ての光を透過する。また、第１基板４０１はシリコン基板であり、赤色光の波長を含む波長帯域の光を透過する。よって、第２基板４０２の第３画素４０５は、入射光のうち赤色光の露光量に応じた第３信号（Ｒ信号）を出力することができる。
【００６２】
また、第２画素４０４が備えるカラーフィルタ４２４は、青色光のみを透過する。すなわち、赤色光を透過しない。よって、第２画素４０４を透過する光には、赤色光が含まれない。従って、第２画素４０４の下に第３画素４０５を配置したとしても、赤色光を精度良く検出することが難しい。また、例えば、駆動部１０２４や、信号読み出し部１０２５や、第２基板画素読み出し回路１０２３などの回路を第３画素４０５の周囲に配置すると、第３画素４０５の開口率が低下し、第３信号のＳ／Ｎが低下することが考えられる。
【００６３】
そこで、本実施形態では、赤色光が透過しない第２画素４０４の下に、駆動部１０２４や、信号読み出し部１０２５や、第２基板画素読み出し回路１０２３などを回路部４０６として配置することで、第３画素４０５の開口率を高くすることができる。従って、第３画素４０５が出力する第３信号のＳ／Ｎを高くすることができる。
【００６４】
なお、第１基板４０１に含まれる第１画素４０３および第２画素４０４と、第２基板４０２に含まれる第３画素４０５および回路部４０６との数および配列は、図８に示す例に限らず、どのような数および配列でもよい。また、図８に示す例では、第１画素４０３の下に第３画素４０５を対応して配置しているが、これに限らない。例えば、第３画素４０５の画素サイズを、第１画素４０３の画素サイズとは異なる大きさ（例えば、第１画素４０３の整数倍）にするなどの工夫も可能である。また、例えば、回路部４０６のサイズを、第２画素４０４の画素サイズとは異なる大きさにするなどの工夫も可能である。
【００６５】
また、撮像素子４００を備えた撮像装置の構成および動作は、第１の実施形態における撮像装置１と同様である。例えば、信号処理部１０６によるＲＧＢ画像の生成方法と、ＮＢＩ画像の生成方法とは、第１の実施形態と同様の方法である。
【００６６】
（第３の実施形態）
次に、本発明の第３の実施形態について説明する。本実施形態における撮像装置と、第２の実施形態における撮像装置とで異なる点は、撮像素子の構成である。第２の実施形態における撮像素子４００と本実施形態における撮像素子６００とで異なる点は、第２基板６０２に設けられる回路部６０６の数および配列である。なお、その他の構成は、第２の実施形態と同様である。
【００６７】
図９は、本実施形態における第１画素６０３と、第２画素６０４と、第３画素６０５と、回路部６０６との配列を示した概略図である。図９に示す例では、第１基板６０１には、４行４列の二次元状に規則的に配列された８個の第１画素６０３と、８個の第２画素６０４とが含まれている。また、第２基板６０２には、４行４列の二次元状に規則的に配列された４個の第３画素６０５と、１２個の回路部６０６とが含まれている。
【００６８】
図９に示すとおり、第１基板６０１には、第１画素６０３と第２画素６０４とが交互に配列されている。また、第１画素６０３と第２画素６０４とには、入射光が直接入射される。よって、第１基板６０１では、入射光の露光量に応じた第１信号（Ｗ信号）と、入射光のうち青色光の露光量に応じた第２信号（Ｂ信号）とを出力することができる。
【００６９】
また、第２基板６０２の奇数行目には、第３画素６０５と回路部６０６とが交互に配置されている。また、第２基板６０２の偶数行目には回路部６０６が配置されている。また、第３画素６０５は、第１画素６０３を透過した光が入射される位置に配置されている。すなわち、第３画素６０５は、第１画素６０３の下に配置されている。
【００７０】
この配置により、第３画素６０５には、入射光のうち第１基板６０１の第１画素６０３を透過した光が入射される。また、第１画素６０３が備えるカラーフィルタ（第２の実施形態のカラーフィルタ４２３と同一）は、全ての光を透過する。また、第１基板６０１はシリコン基板であり、赤色光の波長を含む波長帯域の光を透過する。よって、第２基板６０２の第３画素６０５は、入射光のうち赤色光の露光量に応じた第３信号（Ｒ信号）を出力することができる。
【００７１】
このように、本実施形態では、第２の実施形態よりも回路部６０６の数を増やすことで、例えば、第１基板６０１に配置されている第１基板画素読み出し回路１０１３を、回路部６０６に配置することができる。これにより、第１基板６０１には第１基板画素読み出し回路１０１３を配置する必要がなくなり、第１画素６０３と第２画素６０４との開口率を高くすることができる。従って、第１画素６０３が出力する第１信号と、第２画素６０４が出力する第２信号とのＳ／Ｎを高くすることができる。
【００７２】
なお、第１基板６０１に含まれる第１画素６０３および第２画素６０４と、第２基板６０２に含まれる第３画素６０５および回路部６０６との数および配列は、図９に示す例に限らず、どのような数および配列でもよい。また、図９に示す例では、第１画素６０３の下に第３画素６０５を対応して配置しているが、これに限らない。例えば、第３画素６０５の画素サイズを、第１画素６０３の画素サイズとは異なる大きさ（例えば、第１画素６０３の整数倍）にするなどの工夫も可能である。また、例えば、回路部６０６のサイズを、第１画素６０３または第２画素６０４の画素サイズとは異なる大きさにするなどの工夫も可能である。
【００７３】
また、撮像素子６００を備えた撮像装置の構成および動作は、第２の実施形態における撮像装置と同様である。例えば、信号処理部１０６によるＲＧＢ画像の生成方法と、ＮＢＩ画像の生成方法とは、第２の実施形態と同様の方法である。
【００７４】
（第４の実施形態）
次に、本発明の第４の実施形態について説明する。本実施形態における撮像装置と、第１の実施形態における撮像装置１とで異なる点は、撮像素子の構成である。第１の実施形態における撮像素子１００と本実施形態における撮像素子７００とで異なる点は、第１基板７０１と第２基板７０２との間に接合電極７０６が設けられ、第２基板７０２のうち接合電極７０６が設けられている箇所には第３画素７０５が設けられていない点である。その他の構成および動作は、第１の実施形態と同様である。
【００７５】
図１０は、本発明の第４の実施形態における撮像素子７００の断面を示した断面図である。図示する例では、撮像素子７００は、第１基板７０１と、第２基板７０２と、複数の第１画素７０３と、複数の第２画素７０４と、複数の第３画素７０５と、接合電極７０６とを備えている。また、入射光が照射される側を受光面とする。
【００７６】
第１画素７０３は、第１基板７０１内に配置されている。第１画素７０３は、光を検出する第１フォトダイオード７１３と、全ての波長の光を透過するカラーフィルタ７２３とを備えている。これにより、第１画素７０３は、入射光の露光量に応じた第１信号（Ｗ信号、ホワイト信号）を出力する。なお、カラーフィルタ４２３は、赤外光のみを透過しないものを用いてもよい。
【００７７】
第２画素７０４は、第１基板７０１内に配置されている。第２画素７０４は、光を検出する第２フォトダイオード７１４と、青色光のみを透過するカラーフィルタ７２４とを備えている。これにより、第２画素７０４は、入射光のうち青色光の露光量に応じた第２信号（Ｂ信号、ブルー信号）を出力する。
【００７８】
第３画素７０５は、第２基板７０２内に配置されている。第３画素７０５は、光を検出する第３フォトダイオード７１５と、赤色光のみを透過するカラーフィルタ７２５とを備えている。これにより、第３画素７０５は、第１基板７０１を透過した入射光のうち赤色光の露光量に応じた第３信号（Ｒ信号、レッド信号）を出力する。
【００７９】
接合電極７０６は、第１基板７０１と第２基板７０２との間の信号を伝送する。これにより、第１基板７０１と第２基板７０２との間で信号の伝送を行うことができる。
【００８０】
次に、第１画素７０３と、第２画素７０４と、第３画素７０５と、接合電極７０６との配列について説明する。図１１は、本実施形態における第１画素７０３と、第２画素７０４と、第３画素７０５と、接合電極７０６との配列を示した概略図である。図１１に示す例では、第１基板７０１には、４行４列の二次元状に規則的に配列された８個の第１画素７０３と、８個の第２画素７０４とが含まれている。また、第２基板７０２には、４行４列の二次元状に規則的に配列された８個の第３画素７０５と、８個の接合電極７０６とが含まれている。
【００８１】
図８に示すとおり、第１基板７０１には、第１画素７０３と第２画素７０４とが交互に配列されている。また、第１画素７０３と第２画素７０４とには、入射光が直接入射される。よって、第１基板７０１では、入射光の露光量に応じた第１信号（Ｗ信号）と、入射光のうち青色光の露光量に応じた第２信号（Ｂ信号）とを出力することができる。
【００８２】
また、第２基板７０２には、第３画素７０５と接合電極７０６とが交互に配置されている。また、第３画素７０５は、第１画素７０３を透過した光が入射される位置に配置されている。すなわち、第３画素７０５は、第１画素７０３の下に配置されている。また、接合電極７０６は、第２画素７０４の下に配置されている。
【００８３】
この配置により、第３画素７０５には、入射光のうち第１基板７０１の第１画素７０３を透過した光が入射される。また、第１画素７０３が備えるカラーフィルタ７２３は、全ての光を透過する。また、第１基板７０１はシリコン基板であり、赤色光の波長を含む波長帯域の光を透過する。よって、第２基板７０２の第３画素７０５は、入射光のうち赤色光の露光量に応じた第３信号（Ｒ信号）を出力することができる。
【００８４】
また、第２画素７０４が備えるカラーフィルタ７２４は、青色光のみを透過する。すなわち、赤色光を透過しない。よって、第２画素７０４を透過する光には、赤色光が含まれない。従って、第２画素７０４の下に第３画素７０５を配置したとしても、赤色光を精度良く検出することが難しい。また、例えば、第１基板７０１と第２基板７０２との間に接合電極などを設けて、第１基板７０１と第２基板７０２との間の信号の伝送を行う場合、第３画素７０５の開口率が低下することが考えられる。また、第３画素７０５の開口率が低下すると、第３画素７０５が出力する第３信号のＳ／Ｎが低下することが考えられる。
【００８５】
そこで、本実施形態では、赤色光が透過しない第２画素７０４の下に接合電極７０６を配置することで、第３画素７０５の開口率を高くすることができる。従って、第３画素７０５が出力する第３信号のＳ／Ｎを高くすることができる。
【００８６】
なお、第１基板７０１に含まれる第１画素７０３および第２画素７０４と、第２基板７０２に含まれる第３画素７０５および接合電極７０６との数および配列は、図１１に示す例に限らず、どのような数および配列でもよい。また、図１１に示す例では、第１画素７０３の下に第３画素７０５を対応して配置しているが、これに限らない。例えば、第３画素７０５の画素サイズを、第１画素７０３の画素サイズとは異なる大きさ（例えば、第１画素７０３の整数倍）にするなどの工夫も可能である。また、例えば、接合電極７０６のサイズを、第２画素７０４の画素サイズとは異なる大きさにするなどの工夫も可能である。
【００８７】
また、撮像素子７００を備えた撮像装置の構成および動作は、第１の実施形態における撮像装置１と同様である。例えば、信号処理部１０６によるＲＧＢ画像の生成方法と、ＮＢＩ画像の生成方法とは、第１の実施形態と同様の方法である。
【００８８】
（第５の実施形態）
次に、本発明の第５の実施形態について説明する。本実施形態における撮像装置と、第１の実施形態における撮像装置１とで異なる点は、撮像素子の構成である。第１の実施形態における撮像素子１００と本実施形態における撮像素子８００とで異なる点は、第１基板８０１に、入射光のうち緑色光の露光量に応じた第４信号（Ｇ信号、グリーン信号）を出力する第４画素８０６が設けられている点である。その他の構成は、第１の実施形態と同様である。
【００８９】
なお、第４画素８０６は、緑色光を検出するフォトダイオードを備えることで、入射光のうち緑色光の露光量に応じた第４信号を出力するようにしてもよい。また、第４画素８０６は、光を検出するフォトダイオードと、緑色光のみを透過するカラーフィルタとを備えることで、入射光のうち緑色光の露光量に応じた第４信号を出力するようにしてもよい。
【００９０】
図１２は、本実施形態における第１画素８０３と、第２画素８０４と、第３画素８０５と、第４画素８０６との配列を示した概略図である。図１２に示す例では、第１基板８０１には、４行４列の二次元状に規則的に配列された４個の第１画素８０３と、８個の第２画素８０４と、４個の第３画素８０６とが含まれている。また、第２基板８０２には、４行４列の二次元状に規則的に配列された１６個の第３画素４０５が含まれている。
【００９１】
図１２に示すとおり、第１基板８０１の奇数行目には、第１画素８０３と第２画素８０４とが交互に配置されている。また、第１基板８０２の偶数行目には第２画素８０４と第４画素８０６とが交互に配置されている。また、第１画素８０３と、第２画素８０４と、第４画素８０５とには、入射光が直接入射される。よって、第１基板８０１では、入射光の露光量に応じた第１信号（Ｗ信号）と、入射光のうち青色光の露光量に応じた第２信号（Ｂ信号）と、入射光のうち緑色光の露光量に応じた第４信号（Ｇ信号）とを出力することができる。
【００９２】
また、第２基板８０２には、第３画素８０５が配置されている。また、第３画素８０５には、入射光のうち第１基板８０１を透過した光が入射される。また、第１基板８０１はシリコン基板であり、赤色光の波長を含む波長帯域の光を透過する。よって、第２基板８０２では、入射光のうち赤色光の露光量に応じた第３信号（Ｒ信号）を出力することができる。
【００９３】
従って、このような第１画素８０３と、第２画素８０４と、第３画素８０５と、第４画素８０６との配置により、第１信号（Ｗ信号）と、第２信号（Ｂ信号）と、第３信号（Ｒ信号）と、第４信号（Ｇ信号）とを同時に出力することができる。
【００９４】
なお、第１基板８０１に含まれる第１画素８０３と、第２画素８０４と、第４画素８０６と、第２基板８０２に含まれる第３画素８０５との数および配列は、図１２に示す例に限らず、どのような数および配列でもよい。また、図１２に示す例では、第１画素８０３と、第２画素８０４と、第４画素８０６との下に、第３画素８０５を対応して配置しているが、これに限らない。例えば、第３画素８０５の画素サイズを、第１画素８０３と、第２画素８０４と、第４画素８０６との画素サイズとは異なる大きさ（例えば、第１画素８０３の整数倍）にするなどの工夫も可能である。
【００９５】
次に、本実施形態におけるＲＧＢ画像とＮＢＩ画像との生成方法について説明する。信号処理部１０６は、信号読み出し部１０２５が読み出した第２信号と、第３信号と、第４信号とを用いて画像を生成する。具体的には、信号処理部１０６は、第２信号（Ｂ信号）と、第３信号（Ｒ信号）と、第４信号（Ｇ信号と）で、ＲＧＢ画像を生成する。また、信号処理部１０６は、第２信号（Ｂ信号）を用いて、ＮＢＩ画像を生成する。
【００９６】
なお、第１信号（Ｗ信号）と、第２信号（Ｂ信号）と、第３信号（Ｒ信号）とを用いて演算し、緑色光の信号（Ｇ信号）を生成してもよい。そして、生成した緑色光の信号（Ｇ信号）と、第４信号（Ｇ信号）との両方をＲＧＢ画像の生成に用いてもよい。
【００９７】
このように本実施形態によれば、第１基板８０１に第４画素８０６を設けることで、信号処理を行うことなくＧ信号（第４信号）を得ることができる。また、信号処理を行うことなくＧ信号を得ることができるため、より色再現性の高いＲＧＢ画像を得ることができる。
【００９８】
（第６の実施形態）
次に、本発明の第６の実施形態について説明する。本実施形態における撮像装置と、第１の実施形態における撮像装置１とで異なる点は、撮像素子の構成である。第１の実施形態における撮像素子１００と本実施形態における撮像素子９００とで異なる点は、第１基板９０１に、入射光のうち黄色光の露光量に応じた第５信号（Ｙ信号、イエロー信号）を出力する第５画素９０６が、第１画素１０３の代わりに設けられている点である。その他の構成は、第１の実施形態と同様である。
【００９９】
なお、第５画素９０６は、黄色光を検出するフォトダイオードを備えることで、入射光のうち黄色光の露光量に応じた第５信号を出力するようにしてもよい。また、第５画素９０６は、光を検出するフォトダイオードと、黄色光のみを透過するカラーフィルタとを備えることで、入射光のうち黄色光の露光量に応じた第５信号を出力するようにしてもよい。
【０１００】
図１３は、本実施形態における第２画素９０４と、第３画素９０５と、第５画素９０６との配列を示した概略図である。図１３に示す例では、第１基板９０１には、４行４列の二次元状に規則的に配列された８個の第４画素９０６と、８個の第２画素９０４とが含まれている。また、第２基板９０２には、４行４列の二次元状に規則的に配列された１６個の第３画素９０５が含まれている。
【０１０１】
図１３に示すとおり、第１基板９０１には、第５画素９０６と第２画素９０４とが交互に配置されている。また、第５画素９０６と第２画素９０４とには、入射光が直接入射される。よって、第１基板９０１では、入射光のうち黄色光の露光量に応じた第５信号（Ｙ信号）と、入射光のうち青色光の露光量に応じた第２信号（Ｂ信号）とを出力することができる。
【０１０２】
また、第２基板９０２には、第３画素９０５が配置されている。また、第３画素９０５には、入射光のうち第１基板９０１を透過した光が入射される。また、第１基板９０１はシリコン基板であり、赤色光の波長を含む波長帯域の光を透過する。よって、第２基板９０２では、入射光のうち赤色光の露光量に応じた第３信号（Ｒ信号）を出力することができる。
【０１０３】
従って、このような第２画素９０４と、第３画素９０５と、第５画素９０６との配置により、第２信号（Ｂ信号）と、第３信号（Ｒ信号）と、第５信号（Ｙ信号）とを同時に出力することができる。
【０１０４】
なお、第１基板９０１に含まれる第５画素９０６および第２画素９０４と、第２基板９０２に含まれる第３画素９０５との数および配列は、図１３に示す例に限らず、どのような数および配列でもよい。また、図１３に示す例では、第５画素９０６および第２画素９０４の下に、第３画素９０５を対応して配置しているが、これに限らない。例えば、第３画素９０５の画素サイズを、第５画素９０６および第２画素９０４の画素サイズとは異なる大きさ（例えば、第５画素９０６の整数倍）にするなどの工夫も可能である。
【０１０５】
次に、本実施形態におけるＲＧＢ画像とＮＢＩ画像との生成方法について説明する。信号処理部１０６は、信号読み出し部１０２５が読み出した第２信号と、第３信号と、第５信号とを用いて画像を生成する。具体的には、信号処理部１０６は、第３信号（Ｒ信号）と第５信号（Ｙ信号）とを用いて演算し、緑色光の信号（Ｇ信号）を生成する。そして、信号処理部１０６は、第２信号（Ｂ信号）と、第３信号（Ｒ信号）と、生成した緑色光の信号（Ｇ信号）とで、ＲＧＢ画像を生成する。また、信号処理部１０６は、第２信号（Ｂ信号）を用いて、ＮＢＩ画像を生成する。
【０１０６】
このように本実施形態によれば、第１基板９０１に第５画素９０６を設けた場合においても、ＲＧＢ画像とＮＢＩ画像との両方を同時に生成することができる。
【０１０７】
（第７の実施形態）
次に、本発明の第７の実施形態について説明する。本実施形態では、第１の実施形態〜第６の実施形態に記載した撮像素子１００，２００，４００，６００，７００，８００，９００のうち、いずれかを内蔵した撮像装置３０００（内視鏡型撮像装置、内視鏡装置）について説明する。
【０１０８】
図１４は、本実施形態における撮像装置３０００の構成を示したブロック図である。図示する例では、撮像装置３０００は、内視鏡スコープ３００１と、信号処理部３００２と、モニタ３００３と、光源部３００４とを備えている。信号処理部３００２は、ＲＧＢ画像とＮＢＩ画像とを生成する。また、信号処理部３００２は、撮像装置３０００の各部の制御を行う。モニタ３００３は、例えば液晶ディスプレイであり、画像を表示する。光源部３００４は、例えはＬＥＤであり、光を発する。
【０１０９】
内視鏡スコープ３００１は、撮像素子３０１１と、撮像レンズ３０１２と、ライトガイド３０１３と、照明レンズ３０１４とを備えている。撮像素子３０１１は、第１の実施形態〜第４の実施形態に記載した撮像素子１００，２００，４００，６００，７００，８００，９００のいずれかである。撮像素子３０１１は、内視鏡スコープ３００１の先端部に配置されている。また、撮像レンズ３０１２は、撮像素子３０１１の受光面側に配置されている。また、照明レンズ３０１４は、内視鏡スコープ３００１の先端部に配置されている。
【０１１０】
ライトガイド３０１３は、光源部３００４が発した光を照明レンズ３０１４に照射する。照明レンズ３０１４は、ライトガイド３０１３から照射される光を集光し、被写体に照射する。撮像レンズ３０１２は、被写体からの光を集光し、撮像素子３０１１に照射する。
【０１１１】
撮像素子３０１１は、撮像レンズ３０１２により照射された光に基づいて、信号を出力する。信号処理部３００２は、撮像素子３０１１が生成した信号に基づいて、ＲＧＢ画像とＮＢＩ画像とを生成する。なお、ＲＧＢ画像とＮＢＩ画像の生成方法は、第１の実施形態〜第６の実施形態に記載した方法と同様である。モニタ３００３は、信号処理部３００２が生成したＲＧＢ画像や、ＮＢＩ画像等を表示する。
【０１１２】
例えば、第１の実施形態〜第６の実施形態に記載した撮像素子１００，２００，４００，６００，７００，８００，９００は、高精度なＲＧＢ画像とＮＢＩ画像とを同時に撮像することができる。よって、第１の実施形態〜第６の実施形態に記載した撮像素子１００，２００，４００，６００，７００，８００，９００のいずれかを撮像装置３０００に用いることで、高精度なＲＧＢ画像とＮＢＩ画像とを同時に撮像することができる。例えば、高精度なＲＧＢ画像とＮＢＩ画像とを、癌の観察などに役立てることができる。
【０１１３】
また、例えば、光源部から中心波長４１５ｎｍ、半値幅３０ｎｍの狭帯域な光を被写体に照射して、撮像装置３０００で撮像することで、毛細血管の状態をより鮮明に観察ことが可能になる。
【０１１４】
以上、本発明の好ましい実施形態を説明したが、本発明はこれら実施形態及びその変形例に限定されることはない。本発明の趣旨を逸脱しない範囲で、構成の付加、省略、置換、およびその他の変更が可能である。
また、本発明は前述した説明によって限定されることはなく、添付のクレームの範囲によってのみ限定される。
【符号の説明】
【０１１５】
１，３０００・・・撮像装置、１００，２００，４００，６００，７００，８００，９００，３０１２・・・撮像素子、１０１，２０１，４０１，６０１，７０１，８０１，９０１・・・第１基板、１０２，２０２，４０２，６０２，７０２，８０２，９０２・・・第２基板、１０３，２０３，４０３，６０３，７０３，８０３・・・第１画素、１０４，２０４，４０４，６０４，７０４，８０４，９０４・・・第２画素、１０５，２０５，４０５，６０５，７０５，８０５，９０５・・・第３画素、１０６，３００２・・・信号処理部、１１３，２１３，７１３・・・第１フォトダイオード、１１４，２１４，７１４・・・第２フォトダイオード、１１５，２１５，７１５・・・第３フォトダイオード、２２３〜２２５，４２３〜４２５，７２３〜７２５・・・カラーフィルタ、４０６，６０６・・・回路部、７０６・・・接合電極、８０６・・・第４画素、９０６・・・第５画素、１０１１・・・第１基板画素部、１０１２・・・第１基板画素、１０１３・・・第１基板画素読み出し回路、１０２１・・・第２基板画素部、１０２２・・・第２基板画素、１０２３・・・第２基板画素読み出し回路、１０２４・・・駆動部、１０２５・・・信号読み出し部、２０００・・・イメージセンサ、２００１・・・Ｇ画素、２００２・・・Ｂ画素、２００３・・・Ｒ画素、３００１・・・内視鏡スコープ、３００３・・・モニタ、３００４・・・光源部、３０１２・・・撮像レンズ、３０１３・・・ライトガイド、３０１４・・・照明レンズ
【図１】
2016178266.tif 000003
【図２】
2016178266.tif 000004
【図３】
2016178266.tif 000005
【図４】
2016178266.tif 000006
【図５】
2016178266.tif 000007
【図６】
2016178266.tif 000008
【図７】
2016178266.tif 000009
【図８】
2016178266.tif 000010
【図９】
2016178266.tif 000011
【図１０】
2016178266.tif 000012
【図１１】
2016178266.tif 000013
【図１２】
2016178266.tif 000014
【図１３】
2016178266.tif 000015
【図１４】
2016178266.tif 000016
【図１５】
2016178266.tif 000017
【国際調査報告】
2016178266.tif 000018
2016178266.tif 000019